(57)【特許請求の範囲】
【請求項１】
原稿台に設定された検知位置にある原稿の有無を検知する光反射型センサと、この光反射型センサからの出力に基づいて原稿台に載置された原稿サイズを判定する判定手段とを備える原稿サイズ検知装置において、
光反射型センサは、原稿の幅領域及び長さ領域の少なくとも一方の領域内に点在する検知位置に向けて投光する投光部と、各検知位置からの反射光をそれぞれ受光する複数の受光素子とを有する受光部と、各受光素子の受光状況に応じて原稿の有無を判定手段に出力する出力部とを備え、
出力部は、反射光を受光した受光素子からの信号を１と認識し、反射光を受光しなかった受光素子からの信号を０と認識し、これら受光素子からの信号の論理積が１であるとき、原稿有りの旨を判定手段に出力することを特徴とする原稿サイズ検知装置。
【請求項２】
原稿台に設定された検知位置にある原稿の有無を検知する光反射型センサと、この光反射型センサからの出力に基づいて原稿台に載置された原稿サイズを判定する判定手段とを備える原稿サイズ検知装置において、
光反射型センサは、原稿の幅領域及び長さ領域の少なくとも一方の領域内に点在する検知位置に向けて投光する投光部と、各検知位置からの反射光を受光する受光素子とを有する受光部と、受光素子の受光状況に応じて原稿の有無を判定手段に出力する出力部とを備え、
出力部は、一つの検知位置からの反射光を受光した場合の受光素子の受光量よりも大きく且つ全ての検知位置からの反射光を受光した場合の受光素子の受光量以下に設定された閾値に達したとき、原稿有りの旨を判定手段に出力することを特徴とする原稿サイズ検知装置。
【請求項３】
原稿台に設定された検知位置にある原稿の有無を検知する光反射型センサと、この光反射型センサからの出力に基づいて原稿台に載置された原稿サイズを判定する判定手段とを備える原稿サイズ検知装置において、
光反射型センサは、原稿の幅領域及び長さ領域の少なくとも一方の領域内の所定区間に亘る検知領域に向けて投光する投光部と、検知領域からの反射光を受光する受光素子を有する受光部と、受光素子の受光状況に応じて原稿の有無を出力する出力部とを備え、
出力部は、検知領域の一部分からの反射光を受光した場合の受光素子の受光量よりも大きく且つ検知領域全体からの反射光を受光した場合の受光素子の受光量以下に設定された閾値に達したとき、出力部は原稿有りの旨を判定手段に出力することを特徴とする原稿サイズ検知装置。
【発明の詳細な説明】
【０００１】
【発明の属する技術分野】
本発明は、原稿サイズ検知装置に関する。
【０００２】
【従来の技術】
一般に、読取装置等の原稿サイズ検知装置としては、図９に示す原稿台１００の下方に、原稿台１００上の検知位置Ｗ、Ｘ、Ｙ、Ｚに対応して４つの反射型センサを設け、各検知位置Ｗ、Ｘ、Ｙ、Ｚにおける反射型センサからの原稿の有無を、下記の表１に示す組み合わせに基づいて原稿サイズを判定するものが知られている。
【０００３】
【表１】
0003833526.tif 000002
【０００４】
○：受光有り
−：受光無し
【０００５】
【発明が解決しようとする課題】
しかし、上述の原稿サイズ検知装置では、例えばＢ５タテの原稿サイズを検知する際において、図９に示すように、原稿の右手前を手Ｈで押さえると、Ｂ５タテの原稿に対応する検知位置Ｘだけでなく、手Ｈに対応する検知位置Ｗからも反射光があるので、この原稿のサイズをＡ４タテと誤判定してしまうという課題がある。
【０００６】
これに対し、検知位置Ｗを左側の検知位置Ｌに移動しても、Ｂ５タテ原稿の左手前を手で押さえると、同様に誤判定してしまう。更に、反射型センサの配置位置を工夫しようにも、原稿を押さえるために手を添える位置は、操作者によりまちまちであり、対応しきれるものではない。
【０００７】
そこで、本発明は、原稿サイズの誤判定を防止できる原稿サイズ検知装置を提供することを目的とする。
【０００８】
【課題を解決するための手段】
請求項１に記載の発明は、原稿台に設定された検知位置にある原稿の有無を検知する光反射型センサと、この光反射型センサからの出力に基づいて原稿台に載置された原稿サイズを判定する判定手段を備える原稿サイズ検知装置において、光反射型センサは、原稿の幅領域及び長さ領域の少なくとも一方の領域内に点在する検知位置に向けて投光する投光部と、各検知位置からの反射光をそれぞれ受光する複数の受光素子とを有する受光部と、各受光素子の受光状況に応じて原稿の有無を判定手段に出力する出力部とを備え、出力部は、反射光を受光した受光素子からの信号を１と認識し、反射光を受光しなかった受光素子からの信号を０と認識し、これら受光素子からの信号の論理積が１であるとき、原稿有りの旨を判定手段に出力することを特徴とする。
【０００９】
この請求項１に記載の発明では、全ての検知位置に原稿が有る場合には、全ての受光素子が反射光を受光することにより、出力部は、全ての受光素子からの信号を１と認識する。この場合、各受光素子からの信号の論理積は１となり、出力部は原稿有りの旨を判定手段に出力する。
【００１０】
一方、原稿台に載置された原稿の外側に各検知位置がある場合には、これら検知位置のうち、一の検知位置に、原稿を押さえる手等の載置物が有り、他の検知位置に載置物が無い場合には、一の検知位置の載置物からの反射光は、この検知位置に対応する受光素子に受光され、他の検知位置に投光された光はそのまま原稿台を透過する。従って、出力部は、一の検知位置に対応する受光素子からの信号を０、他の検知位置に対応する受光素子からの信号を１と認識する。この場合、各受光素子からの信号の論理積は０となり、出力部は原稿無しの旨を判定手段に出力する。
【００１１】
このように、出力部が各受光素子の論理積を求め、この論理積に応じた出力を判定手段に行っていることで、原稿を押さえる手等の載置物がいずれかの検知位置にあった場合には、原稿有りの旨を判定手段に出力しないので、原稿サイズの誤判定を防止することができる。
【００１２】
尚、原稿の幅領域とは、原稿の幅方向における両端部間のことを示し、原稿の長さ領域とは、原稿の長さ方向における両端部間のことを示す。
【００１３】
請求項２に記載の発明は、原稿台に設定された検知位置にある原稿の有無を検知する光反射型センサと、この光反射型センサからの出力に基づいて原稿台に載置された原稿サイズを判定する判定手段を備える原稿サイズ検知装置において、光反射型センサは、原稿の幅領域及び長さ領域の少なくとも一方の領域内に点在する検知位置に向けて投光する投光部と、各検知位置からの反射光を受光する受光素子とを有する受光部と、受光素子の受光状況に応じて原稿の有無を判定手段に出力する出力部とを備え、出力部は、一つの検知位置からの反射光を受光した場合の受光素子の受光量よりも大きく且つ全ての検知位置からの反射光を受光した場合の受光素子の受光量以下に設定された閾値に達したとき、原稿有りの旨を判定手段に出力することを特徴とする。
【００１４】
この請求項２に記載の発明では、検知位置の全てに原稿が有る場合には、受光素子の受光量が最大となり、閾値に達したり、或いは閾値を超えたりするので、出力部は、判定手段に原稿有りの旨を出力する。一方、原稿台に載置された原稿の外側に各検知位置がある場合には、これら検知位置のうち、一つ以上の検知位置に原稿を押さえる手等の載置物が有り、他の検知位置には何も無い場合には、受光素子の受光量が少なくなり、閾値に達しなくなるので、出力部は、判定手段に原稿無しの旨を出力する。
【００１５】
このように、出力部が、一つの検知位置からの反射光を受光した場合の受光量よりも大きく且つ全ての検知位置からの反射光を受光した場合の受光量以下に設定された閾値に応じた出力を判定手段に行うことで、原稿を押さえる手等の載置物がいずれかの検知位置にあった場合には、原稿有りの旨を判定手段に出力しないので、原稿サイズの誤判定を防止することができる。
【００１６】
請求項３に記載の発明は、原稿台に設定された検知位置にある原稿の有無を検知する光反射型センサと、この光反射型センサからの出力に基づいて原稿台に載置された原稿サイズを判定する判定手段を備える原稿サイズ検知装置において、光反射型センサは、原稿の幅領域及び長さ領域の少なくとも一方の領域内の所定区間に亘る検知領域に向けて投光する投光部と、検知領域からの反射光を受光する受光素子を有する受光部と、受光素子の受光状況に応じて原稿の有無を出力する出力部とを備え、出力部は、検知領域の一部分からの反射光を受光した場合の受光素子の受光量よりも大きく且つ検知領域全体からの反射光を受光した場合の受光素子の受光量以下に設定された閾値に達したとき、出力部は原稿有りの旨を判定手段に出力することを特徴とする。
【００１７】
この請求項３に記載の発明では、請求項１又は２に記載の発明と同様な作用効果を奏するとともに、検知領域全体に原稿が有る場合には、受光素子の受光量が最大となり、閾値に達したり、或いは閾値を超えたりするので、出力部は、判定手段に原稿有りの旨を出力する。一方、原稿台に載置された原稿の外側に各検知領域がある場合において、検知領域の一部分に原稿を押さえる手等の載置物が有り、検知領域の他の部分には何も無いときには、受光素子の受光量が少なくなり、閾値に達しなくなるので、出力部は、判定手段に原稿無しの旨を出力する。
【００１８】
このように、出力部が、検知領域の一部分からの反射光を受光した場合の受光量よりも大きく且つ検知領域全体からの反射光を受光した場合の受光量以下に設定された閾値に応じた出力を行うことにより、原稿を押さえる手等の載置物が検知領域の一部分にあった場合には、原稿有りの旨を出力しないので、原稿サイズの誤判定を防止することができる。
【００１９】
【発明の実施の形態】
以下、添付した図面を参照しながら、本発明の実施の形態を詳細に説明する。図１乃至図３に示すように、原稿サイズ検知装置１は、複写機の原稿台１５の原稿突き当てガイド１４ａ、１４ｂに突き当てられて載置される原稿Ｐのサイズを検知するものであり、４つの光反射型センサ３、５、７、９と、各光反射型センサ３、５、７、９からの出力に基づいて原稿サイズを判定する判定部（判定手段）１１とを備えている。
【００２０】
光反射型センサ３は、図２及び図３に示すように、原稿台１５に設定された検知位置Ａ１、Ａ２の原稿Ｐの有無を検知するものであり、それぞれの検知位置Ａ１、Ａ２に向けて光を投光する投光部１３と、検知位置Ａ１、Ａ２からの反射光を受光する受光部１８と、受光部１８の受光状況に応じて原稿の有無を判定部１１に出力する出力部２０とを有している。
【００２１】
投光部１３は、単一の発光素子１９と、投光レンズ２１と、回折格子２３とを有しており、発光素子１９からの光は、投光レンズ２１を通過した後、回折格子２３によって、検知位置Ａ１、Ａ２に向けてそれぞれ投光されるようになっている。これら、検知位置Ａ１、Ａ２は、Ｂ５タテサイズの原稿Ｐの幅領域Ｒに対応する範囲内に直線状に点在するように設定されており、本実施の形態では、これら検知位置Ａ１、Ａ２は原稿の両端部の位置に対応している。
【００２２】
また、受光部１８は、受光レンズ１６と二つの受光素子１７ａ、１７ｂとを有しており、各検知位置Ａ１、Ａ２からの光は受光レンズ１６を介して２つの受光素子１７ａ、１７ｂにそれぞれ受光されるようになっている。本実施の形態では、図２に示すように、検知位置Ａ１からの反射光は受光素子１７ｂによって受光され、検知位置Ａ２からの反射光は受光素子１７ａによって受光される。
【００２３】
出力部２０は、図４に示すように、Ｎ、Ｎ１・・・Ｎｘｎといった入力に対し、これらの論理積ＮａｎｄＮ１ａｎｄ・・・Ｎｘｎを求め、この論理積を判定部１１に出力するようになっており、本実施の形態では、受光部１８の各受光素子１７ａ、１７ｂからの信号の論理積を求めることにより、判定部１１に原稿の有無を出力する。
【００２４】
具体的には、出力部２０は、反射光を受光した受光素子１７ａ、１７ｂからの信号を１と認識し、反射光を受光しなかった受光素子１７ａ、１７ｂからの信号を０と認識することにより、これらの論理積が１であったときには、判定部１１に原稿有りの旨を出力し、論理積が０であったときには、判定部１１に原稿無しの旨を出力するようになっている。
【００２５】
即ち、下記表２に示すように、各受光素子１７ａ、１７ｂが検知位置Ａ１、Ａ２からの反射光を受光した場合には、出力部２０は、各受光素子１７ａ、１７ｂからの信号をともに１と認識する。この場合、各受光素子１７ａ、１７ｂからの信号の論理積は１であるので、原稿有りの旨を判定部１１に出力する。
【００２６】
また、受光素子１７ａが検知位置Ａ２からの反射光を受光し、受光素子１７ｂが検知位置Ａ１からの反射光を受光しなかった場合には、出力部２０は、受光素子１７ａからの信号を１と認識し、受光素子１７ｂからの信号を０と認識する。この場合、各受光素子１７ａ、１７ｂからの信号の論理積は０であるので、出力部２０は原稿無しの旨を判定部１１に出力する。
【００２７】
更に、各受光素子１７ａ、１７ｂがともに反射光を受光しなかった場合には、出力部２０は、各受光素子１７ａ、１７ｂからの信号をともに０と認識する。この場合、各受光素子１７ａ、１７ｂからの信号の論理積は０であるので、出力部２０は原稿無しの旨を判定部１１に出力する。
【００２８】
【表２】
0003833526.tif 000003
【００２９】
○：受光有り
×：受光無し
一方、光反射型センサ５は検知位置Ｂの原稿Ｐの有無を検知するものであり、光反射型センサ７は検知位置Ｃの原稿Ｐの有無を検知するものであり、光反射型センサ９は検知位置Ｄの原稿Ｐの有無を検知するものである。これら光反射型センサ５、７、９はそれぞれ、検知位置Ｂ、Ｃ、Ｄに向けて投光する投光部５ａ、７ａ、９ａと、検知位置Ｂ、Ｃ、Ｄからの反射光を受光する受光部５ｂ、７ｂ、９ｂとを有しており、それぞれの受光部５ｂ、７ｂ、９ｂが反射光を受光したときに、原稿有り（受光有り）の旨を判定部１１に出力する。
【００３０】
判定部１１は、各光反射型センサ３、５、７、９からの原稿の有無の出力を受けることにより、これら原稿の有無の組み合わせによって、原稿台１５に載置された原稿Ｐのサイズを検知するものである。例えば、上記表２に示すように、判定部１１は、全ての光反射型センサ３、５、７、９から原稿有りの旨の出力があった場合には、原稿台１５に載置された原稿ＰがＡ３ヨコサイズと判定する。尚判定部１１は、他の原稿サイズについても、同様に、表２に基づく判定を行う。
【００３１】
次に、上述した構成に基づいて、本実施の形態の作用を説明する。図３に示すように、原稿台１５にＢ５タテサイズの原稿Ｐが載置された場合には、光反射型センサ３、７、９はそれぞれ、判定部１１に原稿無しの旨の出力を行い、光反射型センサ５は判定部１１に原稿有りの旨の出力を行う。したがって、判定部１１は、表２に示す組み合わせに基づき、原稿台１５に載置された原稿Ｐを、Ｂ５タテサイズと判定する。
【００３２】
ここで、図３の二点鎖線で示すように、Ｂ５タテサイズの原稿Ｐの右手前側を手Ｈで押さえてしまい、手Ｈが検知位置Ａ１にある場合には、受光部１８の受光素子１７ｂが手Ｈからの反射光を受光する。また、受光部１８の受光素子１７ａは、投光部１３からの光が、検知位置Ａ２を透過してしまうので、反射光を受光しない。この場合、原稿台１５に載置された原稿ＰがＢ５タテサイズであっても、光反射型センサ３が判定部１１に原稿有りの旨の出力を行うと、判定部１１が原稿台１５の原稿ＰをＡ４タテサイズと誤判定してしまう。
【００３３】
しかし、本実施の形態では、光反射型センサ３の出力部２０は、受光素子１７ａからの信号を０と認識し、受光素子１７ｂからの信号を１と認識する。したがって論理積が０となり、出力部２０は、原稿無しの旨を判定部１１に出力する。
【００３４】
従って、光反射型センサ３、７、９がそれぞれ、判定部１１に原稿無しの旨の出力を行い、光反射型センサ５が判定部１１に原稿有りの旨の出力を行うので、判定部１１は原稿台１５に載置された原稿ＰをＢ５タテと判定する。
【００３５】
このように、出力部２０が各受光素子１７ａ、１７ｂの論理積を求め、この論理積に応じた出力を行っていることにより、原稿Ｐを押さえる手Ｈ等の載置物が検知位置Ａ１又はＡ２にあった場合には、出力部２０は原稿有りの旨を判定部１１に出力しないので、原稿サイズの誤判定を防止することができる。また、本実施の形態では、検知位置Ａ１、Ａ２が原稿Ｐの両端部の位置に対応しており、各検知位置Ａ１、Ａ２が離れているので、手等の載置物が各検知位置Ａ１、Ａ２に同時に存在し難くなり、原稿サイズの誤判定を更に防止することができる。
【００３６】
次に、他の実施の形態を説明するが、その説明にあたり上述と同様な部分には同一の符号を付することによって、その説明を省略する。
【００３７】
図５は、第２実施の形態にかかる原稿の検知を説明する図である。第２実施の形態では、図５に示すように、光反射型センサ３の受光部１８は、二つの受光レンズ２５、２７と、単一の受光素子２９とを備えている。本実施の形態では、各受光レンズ２５、２７の向きを調整することにより、検知位置Ａ１、Ａ２からの反射光の光量を任意に調整可能になっている。これにより、受光素子２９の受光量が低減可能である。また、出力部２０は、受光素子２９からの受光量と、予め設定された閾値Ｔ１との比較により、判定部１１に原稿の有無を出力するようになっている。即ち、受光素子２９の受光量が、図６に示す閾値Ｔ１に達していないときには、原稿無しの旨を判定部１１に出力し、受光素子２９の受光量が閾値Ｔ１に達したときは、原稿有りの旨を判定部１１に出力するようになっている。
【００３８】
本実施の形態では、閾値Ｔ１は、図６に示すように、一箇所の検知位置Ａ１又はＡ２からの反射光を受光した場合の受光素子２９の受光量よりも大きく、二箇所の検知位置Ａ１、Ａ２、即ち、全ての検知位置Ａ１、Ａ２からの反射光を受光した場合の受光素子２９の受光量よりも小さくなるように設定している。
【００３９】
尚、図６は、閾値Ｔ１の範囲を説明するためのグラフであり、縦軸に光反射型センサ３の出力をとり、横軸に受光素子２９の受光量をとっている。また、閾値Ｔ１の範囲は、上述の範囲に限定されず、一箇所の検知位置Ａ１又はＡ２からの反射光を受光した場合の受光素子２９の受光量よりも大きく、二箇所の検知位置Ａ１、Ａ２、即ち、全ての検知位置Ａ１、Ａ２からの反射光を受光した場合における受光素子２９の受光量以下の範囲内において適宜変更可能である。
【００４０】
次に、第２実施の形態の作用を説明する。原稿台１５に、例えば、Ａ４ヨコサイズの原稿Ｐを載置した場合には、検知位置Ａ１、Ａ２の両方を原稿Ｐが覆っていることにより、受光素子２９の受光量が最大となり、閾値Ｔ１に達したり、或いは閾値Ｔ１を超えたりするので、出力部２２は、判定部１１に原稿有りの旨を出力する。
【００４１】
一方、原稿台１５にＢ５ヨコ等の原稿Ｐを載置した場合には、この原稿Ｐの外側に各検知位置Ａ１、Ａ２がある。この場合、検知位置Ａ１、Ａ２のうち、検知位置Ａ１に原稿を押さえる手Ｈが有り、検知位置Ａ２には何も無い場合には、受光素子２９の受光量が少なくなり、閾値Ｔ１に達しなくなるので、出力部２２は、判定部１１に原稿無しの旨を出力する。
【００４２】
この第２実施の形態では、出力部２２が閾値Ｔ１に応じた出力を判定部１１に行うことで、原稿Ｐを押さえる手Ｈ等の載置物がいずれかの検知位置Ａ１、Ａ２にあった場合には、原稿有りの旨を判定部１１に出力しないので、原稿サイズの誤判定を防止することができる。
【００４３】
図７は、第３実施の形態にかかる原稿の検知を説明する図である。第３実施の形態では、光反射型センサ３の受光部１８は、単一の受光レンズ３１と、単一の受光素子３３とを備えている。また、光反射型センサ本体３ａには、投光部１３及び受光部１８に対応したスリット３５ａ、３５ｂが形成されたスリット部材３５が設けられている。
【００４４】
従って、投光部１３からの光は、スリット３５ａを介して、原稿の幅領域内の所定区間Ｍに亘る検知領域Ｋに向けて、細長い形状で投光されるようになっている。また、この検知領域Ｋからの反射光は、スリット３５ｂを介して受光部１８に受光されるようになっている。尚、所定区間Ｍは、本実施の形態では、原稿の幅領域Ｒ（図３参照）よりも短くなっているが、これに限定されず、原稿の幅領域Ｒ全体に亘っていても良い。
【００４５】
また、出力部２４は、受光素子３３からの受光量と、予め設定された閾値Ｔ２との比較により、判定部１１に原稿の有無を出力するようになっている。即ち、受光素子３３の受光量が、図８に示す閾値Ｔ２に達していないときには、原稿無しの旨を判定部１１に出力し、受光素子３３の受光量が閾値Ｔ２に達したときは、原稿有りの旨を判定部１１に出力するようになっている。
【００４６】
本実施の形態では、閾値Ｔ２は、図８に示すように、検知領域Ｋの一部分からの反射光を受光した場合の受光素子３３の受光量よりも大きく、検知領域Ｋ全体からの反射光を受光した場合の受光素子３３の受光量よりも小さくなるように設定している。
【００４７】
尚、図８は閾値Ｔ２の範囲を説明するためのグラフであり、縦軸に光反射型センサ３の出力をとり、横軸に受光素子２９の受光量をとっている。また、閾値Ｔ２の範囲は、上述の範囲に限定されず、検知領域Ｋの一部分からの反射光を受光した場合の受光素子３３の受光量よりも大きく、検知領域Ｋ全体からの反射光を受光した場合における受光素子３３の受光量以下の範囲内において適宜変更可能である。
【００４８】
次に、第３実施の形態の作用を説明する。原稿台１５に、例えば、Ａ４タテサイズの原稿Ｐを載置した場合には、検知領域Ｋ全体を原稿Ｐが覆っていることにより、受光素子３３の受光量が最大となり、閾値Ｔ２に達したり、或いは閾値Ｔ２を超えたりするので、出力部２４は、判定部１１に原稿有りの旨を出力する。
【００４９】
一方、原稿台１５にＢ５タテ等の原稿Ｐを載置した場合には、この原稿Ｐの外側に各検知領域Ｋがあり、検知領域Ｋの一部分に原稿を押さえる手Ｈがあり、他の部分には何も無い場合には、受光素子３３の受光量が少なくなり、閾値Ｔ２に達しなくなるので、出力部２４は、判定部１１に原稿無しの旨を出力する。
【００５０】
この第３実施の形態では、出力部２４が閾値Ｔ２に応じた出力を判定部１１に行うことで、原稿Ｐを押さえる手Ｈ等の載置物が検知領域Ｋの一部分にあった場合には、原稿有りの旨を判定部１１に出力しないので、原稿サイズの誤判定を防止することができる。
【００５１】
本発明は、上述した実施の形態に限定されず、その要旨を逸脱しない範囲内において種々の変形が可能である。例えば、本実施の形態では、原稿の両端部に対応して、２つの検知位置Ａ１、Ａ２を設定したが、これに限定されず、原稿の両端部及び中央部の３箇所に対応するように検知位置を設けても良いし、４箇所以上の検知位置を設けても良い。
【００５２】
本実施の形態では、検知位置Ａ１、Ａ２が、原稿の幅領域Ｒ内に点在しているが、これに限定されず、原稿の長さ領域Ｌ（図３参照）内に、検知位置Ａ１、Ａ２を点在させても良い。
【００５３】
また、本発明は複写機に適用したが、これに限定されず、複写機の他に、プリンタ、ファクシミリ、或いはこれらの複合機などに適用しても同様な作用効果を得る。
【００５４】
【発明の効果】
請求項１に記載の発明では、出力部が各受光素子の論理積を求め、この論理積に応じた出力を判定手段に行っていることで、原稿を押さえる手等の載置物がいずれかの検知位置にあった場合には、原稿有りの旨を判定手段に出力しないので、原稿サイズの誤判定を防止することができる。
【００５５】
請求項２に記載の発明では、出力部が、一つの検知位置からの反射光を受光した場合の受光量よりも大きく且つ全ての検知位置からの反射光を受光した場合の受光量以下に設定された閾値に応じた出力を判定手段に行うことで、原稿を押さえる手等の載置物がいずれかの検知位置にあった場合には、原稿有りの旨を判定手段に出力しないので、原稿サイズの誤判定を防止することができる。
【００５６】
請求項３に記載の発明では、出力部が、検知領域の一部分からの反射光を受光した場合の受光量よりも大きく且つ検知領域全体からの反射光を受光した場合の受光量以下に設定された閾値に応じた出力を行うことにより、原稿を押さえる手等の載置物が検知領域の一部分にあった場合には、原稿有りの旨を出力しないので、原稿サイズの誤判定を防止することができる。
【図面の簡単な説明】
【図１】第１実施の形態に係る光反射型センサの配置状態を示す斜視図である。
【図２】図１の光反射型センサの構成を概略的に示す構成図である。
【図３】原稿台に載置される原稿サイズと検知位置との関係を示す図である。
【図４】出力部を示す図である。
【図５】第２実施の形態に係る光反射型センサの構成を概略的に示す構成図である。
【図６】第２実施の形態に係る閾値の範囲を説明するためのグラフである。
【図７】第３実施の形態に係る光反射型センサの構成を概略的に示す構成図である。
【図８】第３実施の形態に係る閾値の範囲を説明するためのグラフである。
【図９】従来例を説明するための図である。
【符号の説明】
１      原稿サイズ検知装置
３      光反射型センサ
１１    判定部（判定手段）
１５    原稿台
１３    投光部
１７ａ、１７ｂ、２９、３３  受光素子
１８    受光部
２０    出力部
Ａ１、Ａ２  検知位置
Ｋ      検知領域
Ｐ      原稿
Ｌ      原稿長さ領域
Ｒ      原稿幅領域
Ｔ１、Ｔ２  閾値
【図１】
0003833526.tif 000004
【図２】
0003833526.tif 000005
【図３】
0003833526.tif 000006
【図４】
0003833526.tif 000007
【図５】
0003833526.tif 000008
【図６】
0003833526.tif 000009
【図７】
0003833526.tif 000010
【図８】
0003833526.tif 000011
【図９】
0003833526.tif 000012